(57)【要約】【課題】樹脂層を有するシートを印刷媒体とする場合であっても、電子写真方式印刷機で印刷できる、電子写真方式印刷機用印刷媒体を提供する。【解決手段】多層構造のシート状体であって、厚み方向における一方側に電子写真方式の印刷がなされる印刷面が露出した樹脂層５１と、厚み方向における他方側に露出した不織布層５２と、を備える、電子写真方式印刷機用印刷媒体５である。【選択図】図１
2020177118.tif 000002
【特許請求の範囲】
【請求項１】
多層構造のシート状体であって、
厚み方向における一方側に電子写真方式の印刷がなされる印刷面が露出した樹脂層と、
厚み方向における他方側に露出した不織布層と、
を備える、電子写真方式印刷機用印刷媒体。
【請求項２】
前記シート状体が組み合わされて形成されたことにより、内部に空間を有した袋状であって、
前記不織布層が前記空間に面するように位置している、請求項１に記載の電子写真方式印刷機用印刷媒体。
【請求項３】
前記樹脂層が、延伸ポリプロピレン（ＯＰＰ）フィルムまたはポリエチレンテレフタレート（ＰＥＴ）フィルムを含む、請求項１または２に記載の電子写真方式印刷機用印刷媒体。
【請求項４】
多層構造のシート状体であって、厚み方向における一方側に印刷面が露出した樹脂シート層と、厚み方向における他方側に露出した不織布層と、を備える印刷媒体を通し、帯電させた感光ドラムの外周面に付着させたトナーを前記印刷媒体に転写することにより前記印刷面に印刷を行う電子写真方式印刷機と、
前記電子写真方式印刷機が有する印刷媒体排出部に設けられ、発生させたイオン粒子を印刷完了後の前記印刷媒体に供給することで、前記印刷媒体の帯電状態を低減させる除電装置と、を備える印刷システム。
【請求項５】
前記除電装置が、前記イオン粒子を気流で拡散させつつ前記印刷媒体に供給する気流発生装置を備える、請求項４に記載の印刷システム。
【請求項６】
前記電子写真方式印刷機が有する印刷媒体供給部の供給方向上流側に設けられ、前記印刷媒体の前記印刷面に粗面を形成するためのトップコート剤を付着させるコート装置を備える、請求項４または５に記載の印刷システム。
【発明の詳細な説明】
【技術分野】
【０００１】
本発明は、樹脂層を有する電子写真方式印刷機用印刷媒体及び当該印刷媒体に印刷を行うことに適した印刷システムに関するものである。
【背景技術】
【０００２】
電子写真方式印刷機（一般に「デジタル印刷機」とも呼ばれている）が広く用いられている。この電子写真方式印刷機の基本構造は、事務用等で広く普及しているコピー機の構造と同じである。この電子写真方式印刷機では、感光ドラムの外周面に付着させたトナー（着色微粒子）をシート状である印刷媒体（紙等）に転写し、その後トナーを定着させることで、印刷媒体に印刷を行う。この電子写真方式印刷機では、感光ドラムの外周面において、印刷画像に対応してトナーを付着させるべき部分の潜像を静電気で形成する。この電子写真方式印刷機は、従来の印刷機（オフセット印刷機等）に比べると、印刷版を作成する必要がないため、同一品種の印刷量が少ない小ロット印刷に適している。
【先行技術文献】
【特許文献】
【０００３】
【特許文献１】特開２０１８−１０７２１号公報
【発明の概要】
【発明が解決しようとする課題】
【０００４】
ところが、この電子写真方式印刷機（以下、単に「印刷機」とも記載する）では、潜像形成のために感光ドラムを帯電させることから、これに伴い印刷媒体も帯電してしまう。また、印刷機の内部構造と印刷媒体との摩擦によっても印刷媒体が帯電する。このため、樹脂層を有するシートを印刷媒体とする場合、当該シートは帯電しやすいことから、帯電した印刷媒体が印刷機内部で頻繁に詰まってしまい、スムーズな印刷が困難であるとの問題があった。しかしながら、カタログ等を入れるために広く用いられている軟質樹脂製の袋については、需要者から小ロット（例えば１０００枚以下のロット）での発注希望も多い。このため、樹脂層を有するシートを印刷媒体とし、電子写真方式印刷機を用いて印刷することが希望されていた。
【０００５】
ここで印刷機における静電気対策に関し、特許文献１では、印刷済みのシートを除電することが提案されている。特許文献１に係る発明は、印刷機に除電ユニットを設ける構成を備えている。
【０００６】
ところが本願の出願人は、電子写真方式印刷機を用いた印刷システムの構築を試みた結果、印刷機に除電ユニットを設ける構成だけでは、樹脂層を有するシートである印刷媒体を印刷しようとしても、印刷機内部での詰まりを実用可能なレベルまで低減できず、前記希望に応えられないとの知見を得た。
【０００７】
本発明は、本願の出願人が鋭意努力の末に創作されたものであって、その課題は、樹脂層を有するシートを印刷媒体とする場合であっても電子写真方式印刷機で印刷できるようにするための、電子写真方式印刷機用印刷媒体及び印刷システムを提供することである。
【課題を解決するための手段】
【０００８】
本発明は、多層構造のシート状体であって、厚み方向における一方側に電子写真方式の印刷がなされる印刷面が露出した樹脂層と、厚み方向における他方側に露出した不織布層と、を備える、電子写真方式印刷機用印刷媒体である。
【０００９】
この構成によれば、印刷媒体が不織布層を備えたシート状体であることにより、印刷中及び印刷後の帯電を低減できる。
【００１０】
また、前記シート状体が組み合わされて形成されたことにより、内部に空間を有した袋状であって、前記不織布層が前記空間に面するように位置しているものであってもよい。
【００１１】
この構成によれば、不織布層が袋状体の内面に位置することになるので、帯電を低減する不織布層が印刷物の外観に影響を与えにくい。
【００１２】
また、前記樹脂層が延伸ポリプロピレン（ＯＰＰ）フィルムまたはポリエチレンテレフタレート（ＰＥＴ）フィルムを含むものであってもよい。
【００１３】
この構成によれば、耐熱性があるため、電子写真方式印刷機の内部の熱によって変形しにくい。
【００１４】
そして本発明は、多層構造のシート状体であって、厚み方向における一方側に印刷面が露出した樹脂シート層と、厚み方向における他方側に露出した不織布層と、を備える印刷媒体を通し、帯電させた感光ドラムの外周面に付着させたトナーを前記印刷媒体に転写することにより前記印刷面に印刷を行う電子写真方式印刷機と、前記電子写真方式印刷機が有する印刷媒体排出部に設けられ、発生させたイオン粒子を印刷完了後の前記印刷媒体に供給することで、前記印刷媒体の帯電状態を低減させる除電装置と、を備える印刷システムである。
【００１５】
この構成によれば、帯電を低減できる不織布層を備えたシート状体を用いて印刷を行い、更に、印刷完了後の印刷媒体にイオン粒子を供給することで、印刷媒体上の電荷を中和して帯電を効果的に低減できる。
【００１６】
また、前記除電装置が、前記イオン粒子を気流で拡散させつつ前記印刷媒体に供給する気流発生装置を備えるものであってもよい。
【００１７】
この構成によれば、気流発生装置によりイオン粒子を拡散して印刷媒体に当てることができるので、印刷媒体の帯電を更に効果的に低減できる。
【００１８】
また、前記電子写真方式印刷機が有する印刷媒体供給部の供給方向上流側に設けられ、前記印刷媒体の前記印刷面に粗面を形成するためのトップコート剤を付着させるコート装置を備えるものであってもよい。
【００１９】
この構成によれば、コート装置により印刷媒体の印刷面にトップコート剤で粗面を形成することにより、印刷を美しく行うことができる。
【発明の効果】
【００２０】
本発明は、電子写真方式印刷機用印刷媒体の提供により印刷媒体の帯電を効果的に低減できる。また、印刷システムの提供により、印刷媒体の帯電を効果的に低減できる。よって、樹脂層を有するシートを印刷媒体とする場合であっても、電子写真方式印刷機で印刷できる。
【図面の簡単な説明】
【００２１】
【図１】本発明の一実施形態に係る電子写真方式印刷機用印刷媒体を示す、斜視の概略図である。
【図２】前記電子写真方式印刷機用印刷媒体を示す、縦断面視の概略図である。
【図３】本発明の一実施形態に係る印刷システムを示す側面視の概要図である。
【図４】前記電子写真方式印刷機用印刷媒体であって、一枚物のシート状体とされた場合を示す、平面視の概略図である。
【発明を実施するための形態】
【００２２】
本発明につき、一実施形態を取り上げて、図面とともに以下説明を行う。
【００２３】
図３に示すように、本実施形態の印刷システム１は、内部構成については図示しないが、帯電させた感光ドラムの外周面に付着させたトナーを転写することにより印刷媒体５の印刷面５１１に印刷を行う電子写真方式印刷機２（以下、単に「印刷機」とも記載する）を備える。この印刷機２は従来周知の印刷機と同じ構成を有している。
【００２４】
印刷システム１は除電装置３を備える。除電装置３は、印刷機２が有する印刷媒体排出部に設けられる。具体的には、印刷機２の外部であって、印刷媒体排出部２１の搬送方向下流側の位置に設けられる。
【００２５】
除電装置３自体は公知の構成を有するから簡単に説明する。除電装置３は、複数の放電電極針を備えた電極バーに高電圧をかけることで、プラスイオン及びマイナスイオンの粒子を発生させる装置である。発生したイオン粒子は、除電対象物（本実施形態では印刷完了後の印刷媒体５）に供給することで印刷媒体５の表面に到達させられる。このため、印刷媒体５における電荷を中和して帯電を低減させる。
【００２６】
本実施形態の除電装置３は、イオン粒子を気流で拡散させつつ印刷媒体５に供給することで、イオン粒子を印刷媒体５の表面に到達させる気流発生装置３１を備える。気流発生装置３１としては、送風機や送風ノズル等の種々の装置を用いることができる。気流発生装置３１として汎用の装置を用いることで、低コストで所望の印刷システム１を構築できる。
【００２７】
この気流発生装置３１により、イオン粒子を拡散して印刷媒体５に当てることができるので、イオン粒子を確実に印刷媒体５に到達させることができる。このため、印刷媒体５の帯電を効果的に低減できる。
【００２８】
また、本実施形態の印刷システム１はコート装置４を備える。コート装置４は、印刷機２が有する印刷媒体供給部２２の供給方向上流側に設けられる。具体的には、印刷機２の外部であって、印刷媒体供給部２２（給紙部等）の搬送方向上流側の位置に設けられる。このコート装置４では、印刷媒体５の表面、具体的にはトナーが転写される面である印刷面５１１に粗面を形成するためのトップコート剤を付着させる。トップコート剤は液状であって印刷媒体５の表面に塗布される。これにより、印刷媒体５の表面に、粗面を有するコート層が形成される。このコート装置４による印刷媒体５の印刷面５１１への粗面形成により、印刷面５１１にトナーを良好に転写させられ、印刷を美しく行うことができる。なお、コート装置４は本発明において必須ではなく、設けないこともできる。
【００２９】
本実施形態の印刷システム１において用いられる印刷媒体５は、図１または図２に示すような、多層構造のシート状体である。印刷媒体５は少なくとも２層構造とされており（図２参照）、厚み方向における一方側に樹脂層５１を備える。この樹脂層５１の一方面が露出していて、電子写真方式の印刷がなされる印刷面５１１となっている。
【００３０】
樹脂層５１は（２軸）延伸ポリプロピレン（ＯＰＰ）フィルムを含む。このため、樹脂層５１が耐熱性を有する層となる。よって、トナーを定着させる際の熱によって、印刷媒体５における特に印刷面５１１に皺等の変形が発生してしまうことを防止できる。従って、美しい印刷が可能である。（２軸）延伸ポリプロピレン（ＯＰＰ）フィルムは、例えばフィルム厚が３０〜６０μmである。上市されている材料の一例として、東洋紡株式会社製の商品名「パイレン（登録商標）フィルム-OT P2271」のフィルムが挙げられる。
【００３１】
印刷媒体５は、厚み方向における他方側に露出した不織布層５２を備える。本実施形態の不織布層５２は、ポリエチレンテレフタレート（ＰＥＴ）にポリエチレン（ＰＥ）が被覆された樹脂繊維が絡み合うようにして形成された不織布を含んでいる。このように印刷媒体５に不織布層５２を備えさせることで、印刷中及び印刷後の印刷媒体５の帯電を低減できる。帯電低減の詳細なメカニズムは、現時点でつきとめられてはいないが、本願の出願人による試行錯誤により、静電気の悪影響が発生せず、良好な印刷結果が実際に得られていることから、有用であることは確認できている。ちなみに、不織布層５２を設けることにより、印刷媒体５の強度（引張強度等）を向上させる効果も発揮する。不織布層５２に用いられる不織布は、例えば目付（単位面積当たりの繊維重量）が２０〜６０g/m2である。上市されている材料の一例として、株式会社ツジトミの商品名「シルファ SF-4070」が挙げられる。
【００３２】
前述の樹脂層５１と不織布層５２の２層は、各層が重ね合された状態でラミネート加工されて一枚物のシート状体とされる。一枚物の状態は図４に示したような状態で、一方面（表面）側に樹脂層５１が位置し、他方面（裏面）側に不織布層５２が位置する。前記一方面（表面）が印刷面５１１である。
【００３３】
本実施形態の印刷媒体５は、図１に示すような、持ち手孔５３を有する手提げバッグ状とされている。これは、図２に示すように、前記シート状体が組み合わされて形成されたことにより、内部に空間５Ｓを有した袋状であって、図示したように、不織布層５２が前記空間５Ｓに面するように位置している。例えば、樹脂層５１と不織布層５２を有する一枚物のシート状体（図４参照）を、不織布層５２が向かい合うようにして２枚対向させ、端縁を熱溶着することで袋状に形成できる。このように印刷媒体５を袋状に形成することにより、不織布層５２が袋状体の内面に位置するので、帯電低減のために設けられる不織布層５２が印刷物の外観に影響を与えないメリットがある。
【００３４】
また、前述の除電装置３が発生させるイオン粒子は印刷媒体５の表面に到達するため、印刷媒体５が袋状であると、内面についてはイオン粒子が直接的に当たりにくいことから、電荷の中和が行われにくい。これに対して本実施形態では、不織布層５２が袋状体の内面に位置するから、除電装置３によるものとは別に、印刷媒体５自体の構造（具体的には不織布層５２）により、静電気への対策を行うことができる。
【００３５】
以上、本発明につき一実施形態を取り上げて説明してきたが、本発明は、前記実施形態に限定されるものではなく、本発明の要旨を逸脱しない範囲で種々の変更が可能である。
【００３６】
例えば、前記実施形態では、樹脂層５１が（２軸）延伸ポリプロピレン（ＯＰＰ）フィルムを含むものであったが、これに限定されない。例えばポリエチレンテレフタレート（ＰＥＴ）フィルムを含むものとすることもできる。ポリエチレンテレフタレート（ＰＥＴ）フィルムを使用した場合、前記実施形態と同様に、樹脂層５１が耐熱性を有する層となる。そして更に、印刷媒体５の帯電を低減させる作用も奏する。このため、不織布層５２との組み合わせで、印刷中及び印刷後の印刷媒体５の帯電を更に低減できる。ポリエチレンテレフタレート（ＰＥＴ）フィルムは、例えばフィルム厚が１２〜３０μmである。上市されている材料の一例として、東洋紡株式会社製の商品名「エスペット（登録商標）フィルム T6140」のフィルムが挙げられる。
【００３７】
また、前記実施形態の印刷媒体５は２層構造とされていたが、積層態様はこれに限られず、３層以上の構造であってもよい。３層以上とする場合、特定の機能を有する層を追加することで、印刷媒体５に特定の機能を付加することができる。
【００３８】
また、前記実施形態の印刷媒体５は、印刷を行う状態で図１に示すような袋状とされていた。しかしこれに限られず、図４に示すような一枚物のシート状のまま印刷媒体５として用いてもよい。この場合、一枚物のシート状である印刷媒体５に印刷を行った後に製袋を行い、袋状とすることもできる。
【００３９】
また、印刷媒体５を袋状とする場合、底部や側部にマチを備えてもよい。また、例えば比較的重量のある内容物を入れる袋を形成する場合には、底部または持ち手孔５３の周囲につき、印刷媒体５を構成するシート状体を二重以上に重ねることもできる。また、例えばブックカバー等、一枚物のシート状体を部分的に重ね合わせた形状とすることもできる。また、クリアホルダーのように、二つの端縁が開放された袋状とすることもできる。
【００４０】
また、前記実施形態では、除電装置３が印刷機２の外部で印刷媒体排出部２１の搬送方向下流側の位置に設けられていた。ただしこれに限定されず、除電装置３が印刷機２の内部に設けられていてもよい。
【００４１】
また、前記実施形態では、印刷媒体５の表面（印刷面５１１）にトップコート剤を付着させることで、粗面を有するコート層が形成されていた。ただしこれに限定されず、例えばコロナ放電を利用したりブラスト処理を行ったりすることで、印刷媒体５の表面（印刷面５１１）に直接的に粗面を形成することもできる。
【符号の説明】
【００４２】
１        印刷システム
２        電子写真方式印刷機、印刷機
２１      印刷媒体排出部
２２      印刷媒体供給部
３        除電装置
３１      気流発生装置
４        コート装置
５        印刷媒体
５Ｓ      空間
５１      樹脂層
５１１    印刷面
５２      不織布層
５３      持ち手孔
【図１】
2020177118.tif 000003
【図２】
2020177118.tif 000004
【図３】
2020177118.tif 000005
【図４】
2020177118.tif 000006